(57)【要約】【課題】ユーザが興味ある店舗の情報を店舗近くにあるタイミングで通知し、その店舗への来店効果を図るとともに、各店舗で広告効果が測定できる広告通知システム等を提供すること。【解決手段】サーバは、ユーザ携帯端末から登録要求があった店舗情報をユーザに対応付けて登録しておき、ユーザ携帯端末の位置情報と店舗の位置情報とが所定距離以下であった場合に、近くに登録された店舗が存在することをユーザ携帯端末に通知するととともにその店舗情報も通知する。【選択図】図１
2010218261.tif 000002
【特許請求の範囲】
【請求項１】
サーバは、ユーザ携帯端末から登録要求があった店舗情報をユーザに対応付けて登録しておき、前記ユーザ携帯端末から定期的に位置情報を受信する度に、受信した位置情報と該当ユーザに知応付けられて登録されている店舗の位置情報とを基に相互の距離を算出し、該算出した距離が所定距離以下であった場合に、近くに登録された店舗が存在することを前記ユーザ携帯端末に通知するととともにその店舗情報も通知することを特徴とする広告通知システム。
【請求項２】
前記店舗情報の送付後も引き続き前記ユーザ携帯端末の位置情報を測定し、店舗を訪れたかを測定することを特徴とする請求項１記載の広告通知システム。
【請求項３】
前記ユーザ携帯端末から登録要求があった店舗情報について、ユーザがどの媒体によって該店舗情報を入手したかを登録することを特徴とする請求項１または２記載の広告通知システム。
【請求項４】
ユーザ携帯端末から登録要求があった店舗情報をユーザに対応付けて登録しておき、前記ユーザ携帯端末から定期的に位置情報を受信する度に、受信した位置情報と該当ユーザに知応付けられて登録されている店舗の位置情報とを基に相互の距離を算出し、該算出した距離が所定距離以下であった場合に、近くに登録された店舗が存在することを前記ユーザ携帯端末に通知するととともにその店舗情報も通知することを特徴とするサーバ装置。
【請求項５】
前記店舗情報の送付後も引き続き前記ユーザ携帯端末の位置情報を測定し、店舗を訪れたかを測定することを特徴とする請求項４記載のサーバ装置。
【請求項６】
前記ユーザ携帯端末から登録要求があった店舗情報について、ユーザがどの媒体によって該店舗情報を入手したかを登録することを特徴とする請求項４または５記載のサーバ装置。
【請求項７】
サーバが、ユーザ携帯端末から登録要求があった店舗情報をユーザに対応付けて登録しておくステップと、前記ユーザ携帯端末から定期的に位置情報を受信する度に、受信した位置情報と該当ユーザに知応付けられて登録されている店舗の位置情報とを基に相互の距離を算出するステップと、該算出した距離が所定距離以下であった場合に、近くに登録された店舗が存在することを前記ユーザ携帯端末に通知するととともにその店舗情報も通知するステップとを有することを特徴とする広告通知方法。
【請求項８】
前記店舗情報の送付後も引き続き前記ユーザ携帯端末の位置情報を測定し、店舗を訪れたかを測定するステップを有することを特徴とする請求項７記載の広告通知方法。
【請求項９】
前記ユーザ携帯端末から登録要求があった店舗情報について、ユーザがどの媒体によって該店舗情報を入手したかを登録するステップを有することを特徴とする請求項７または８記載の広告通知方法。
【請求項１０】
コンピュータに、ユーザ携帯端末から登録要求があった店舗情報をユーザに対応付けて登録しておく処理と、前記ユーザ携帯端末から定期的に位置情報を受信する度に、受信した位置情報と該当ユーザに知応付けられて登録されている店舗の位置情報とを基に相互の距離を算出する処理と、該算出した距離が所定距離以下であった場合に、近くに登録された店舗が存在することを前記ユーザ携帯端末に通知するととともにその店舗情報も通知する処理とを実行させることを特徴とするプログラム。
【請求項１１】
前記店舗情報の送付後も引き続き前記ユーザ携帯端末の位置情報を測定し、店舗を訪れたかを測定する処理を実行させることを特徴とする請求項１０記載のプログラム。
【請求項１２】
前記ユーザ携帯端末から登録要求があった店舗情報について、ユーザがどの媒体によって該店舗情報を入手したかを登録する処理を実行させることを特徴とする請求項１０または１１記載のプログラム。
【発明の詳細な説明】
【技術分野】
【０００１】
本発明は、テレビ番組や雑誌等に取り上げられた店舗情報等をユーザが事前に登録しておき、ユーザが店舗に接近した際にその店舗情報等を通知する広告技術に関する。
【背景技術】
【０００２】
従来、テレビ番組や雑誌でレストランなどの店舗をとりあげることで、来店者の増加を狙っているが、その店舗の近くに行ったとしても、必ずしも気づくことが困難である。
【０００３】
関連技術として、購入希望商品が在庫する店舗の所在を購入希望者に臨機に通知することにより店舗に案内して購入機会を提供する技術が提案されている。その構成は、通信ネットワークを介して利用者が購入を希望する商品に関する情報を利用者情報としてデータベースに登録し、通信ネットワークを介して店舗の位置情報および店舗の取り扱う商品の在庫状況を商品情報としてデータベースに登録しそれを定期的に更新する。利用者が外出時に所持する携帯端末の位置情報を取得し、データベースを参照し記携帯端末の位置情報と利用者が購入を希望する商品を在庫する店舗の位置情報とを比較し、両者の間の距離が所定の距離以内の場合に商品を取り扱っている店舗に接近したことを示すメッセージを携帯端末へ送出して利用者に通知する（例えば、特許文献１参照）。
【先行技術文献】
【特許文献】
【０００４】
【特許文献１】特開２００２−２５９８０８号公報
【発明の概要】
【発明が解決しようとする課題】
【０００５】
しかしながら、上述の関連技術は、ユーザが店舗に接近した際にその店舗情報を通知するとともに広告主が広告効果を測定することは困難であるという問題があった。
【０００６】
本発明は、以上のような課題を解決するためになされたもので、ユーザが興味ある店舗の情報を店舗近くにあるタイミングで通知し、その店舗への来店効果を図るとともに、各店舗で広告効果が測定できる広告通知システム、サーバ装置、広告通知方法およびプログラムを提供することを目的とする。
【課題を解決するための手段】
【０００７】
本発明の広告通知システムは、サーバは、ユーザ携帯端末から登録要求があった店舗情報をユーザに対応付けて登録しておき、前記ユーザ携帯端末から定期的に位置情報を受信する度に、受信した位置情報と該当ユーザに知応付けられて登録されている店舗の位置情報とを基に相互の距離を算出し、該算出した距離が所定距離以下であった場合に、近くに登録された店舗が存在することを前記ユーザ携帯端末に通知するととともにその店舗情報も通知することを特徴とする。
【０００８】
また、本発明のサーバ装置は、ユーザ携帯端末から登録要求があった店舗情報をユーザに対応付けて登録しておき、前記ユーザ携帯端末から定期的に位置情報を受信する度に、受信した位置情報と該当ユーザに知応付けられて登録されている店舗の位置情報とを基に相互の距離を算出し、該算出した距離が所定距離以下であった場合に、近くに登録された店舗が存在することを前記ユーザ携帯端末に通知するととともにその店舗情報も通知することを特徴とする。
【０００９】
また、本発明の広告通知方法は、サーバが、ユーザ携帯端末から登録要求があった店舗情報をユーザに対応付けて登録しておくステップと、前記ユーザ携帯端末から定期的に位置情報を受信する度に、受信した位置情報と該当ユーザに知応付けられて登録されている店舗の位置情報とを基に相互の距離を算出するステップと、該算出した距離が所定距離以下であった場合に、近くに登録された店舗が存在することを前記ユーザ携帯端末に通知するととともにその店舗情報も通知するステップとを有することを特徴とする。
【００１０】
また、本発明のプログラムは、コンピュータに、ユーザ携帯端末から登録要求があった店舗情報をユーザに対応付けて登録しておく処理と、前記ユーザ携帯端末から定期的に位置情報を受信する度に、受信した位置情報と該当ユーザに知応付けられて登録されている店舗の位置情報とを基に相互の距離を算出する処理と、該算出した距離が所定距離以下であった場合に、近くに登録された店舗が存在することを前記ユーザ携帯端末に通知するととともにその店舗情報も通知する処理とを実行させることを特徴とする。
【発明の効果】
【００１１】
本発明によれば、ユーザが興味ある店舗の情報を店舗近くにあるタイミングで通知し、その店舗への来店効果を図るとともに、各店舗で広告効果が測定できる。
【図面の簡単な説明】
【００１２】
【図１】本発明の実施の形態に係るシステム構成を示す図である。
【図２】本発明の実施の形態に係るユーザ情報ＤＢ２３のデータ構成の一例を示す図である。
【図３】本発明の実施の形態に係る店舗情報ＤＢ２４のデータ構成の一例を示す図である。
【図４】本発明の実施の形態に係る情報登録処理のフロー図である。
【図５】本発明の実施の形態に係る位置情報処理のフロー図である。
【図６】本発明の実施の形態に係る広告効果測定のフロー図である。
【発明を実施するための形態】
【００１３】
以下、本発明の第一の実施の形態について図面を参照して詳細に説明する。図１に示す本実施の形態における広告通知システムは、Ｎ台の端末１０およびＭ台のサーバ２０がインターネット等のネットワークを介して接続して構成されている。
【００１４】
次に、図１の構成図を参照して、各部の機能を説明する。
【００１５】
まず、端末１０は情報登録部１１、位置情報取得部１２、通知情報受信部１３を備えている。
【００１６】
情報登録部１１では、店舗名、電話番号、住所などをサーバ２０の情報処理部２１に送信する。この際ユーザはその店舗の地図上の位置を把握し登録することは不要である。そして、サーバ２０の情報処理部２１からの検索結果を受信し、該当する店舗をサーバ２０の情報処理部２１に送信する。なお、ユーザが店舗を登録する際に、どのような媒体（例えば、ＴＶ、雑誌、広告、インターネット）によってその店舗の情報を入手したかの情報も併せて登録する。
【００１７】
位置情報取得部１２では、端末１０の位置情報をＧＰＳなどから定期的に取得し、位置情報処理部に送信する。位置情報は、基地局やゲート通過情報から取得してもよい。
【００１８】
通知情報受信部１３では、サーバ２０の位置情報処理部２２から送信された電子メールなどの情報を受信する。
【００１９】
次に、サーバ２０は情報処理部２１、位置情報処理部２２、ユーザ情報ＤＢ２３、店舗情報ＤＢ２４を備えている。
【００２０】
情報処理部２１では、端末１０の情報登録部１１から送信された店舗名、電話番号、住所などを受信し、その情報を元に店舗情報ＤＢ２４に保存されている店舗データから検索を行い、マッチした店舗情報を端末１０の情報登録部１１に送信する。そして端末１０から送信された店舗情報を受信し、ユーザ情報ＤＢ２３に登録する。
【００２１】
位置情報処理部２２では、端末１０から送信された位置情報を受信し、ユーザ情報ＤＢ２３に保存されている店舗の位置情報と比較を行い、ある距離以内であれば、端末１０の通知情報受信部１３に対して、店舗情報の通知を行う。またユーザが店舗に到達したことを判定し、広告効果を店舗情報ＤＢ２４に記録する。すなわち、店舗情報を送付後、そのユーザがその店舗を実際に訪れたか否かをＧＰＳ機能を利用して引き続き測定し、広告効果の実効を図る。
【００２２】
次に、本実施の形態における、ＤＢ構造について説明する。
【００２３】
図２は、ユーザ情報ＤＢ２３のデータ構成の一例を示す図である。ユーザＩＤ、固体識別番号、メールアドレス、店舗番号、店舗位置情報、情報源から構成している。
【００２４】
図３は、店舗情報ＤＢ２４のデータ構成の一例を示す図である。店舗番号、店舗名、住所、電話番号、店舗位置情報、広告効果数から構成している。
【００２５】
図４は、情報登録処理のフロー図である。ユーザがテレビ番組や雑誌で取り上げられた店舗情報を、事前に携帯電話などからサーバに登録しておく。
端末１０の情報登録部１１で、店舗情報をサーバ２０の情報処理部２１に送信する（Ｓ４０１、４０２）。ユーザは端末１０からサーバ２０のＤＢにある店舗を指定するのみでよく、具体的に地図上の位置を特定することを必要としない。
【００２６】
次に、サーバ２０の情報処理部２１で店舗情報を用いて、店舗情報ＤＢ２４からマッチするデータを検索する（Ｓ４０３）。
【００２７】
そして、該当情報がある場合（Ｓ４０４／Ｙｅｓ）、サーバ２０の情報処理部２１から検索結果情報を端末１０の情報登録部１１に送信し、端末１０の情報登録部１１で検索結果情報を受信する（Ｓ４０５、４０６）。
【００２８】
次に、検索結果情報から該当店舗を選択し、サーバ２０の情報処理部２１に該当店舗の店舗情報を送信し、サーバ２０の情報処理部２１で店舗番号と店舗位置情報をユーザ情報ＤＢ２３に登録する（Ｓ４０７、４０８）。
【００２９】
例えば、ユーザＩＤ：１１２４４４５６のユーザが電話番号：０３-５５５５-６６６６で店舗を検索したとすると、○○食堂が検索結果としてマッチする。そして本店舗を情報登録する場合、本ユーザのユーザ情報ＤＢ２３に○○食堂の店舗番号：２と店舗情報が登録される。
【００３０】
また、サーバ２０の情報処理部２１から該当情報がない場合（Ｓ４０４／Ｎｏ）、該当情報がない旨を端末１０の情報登録部１１に送信する（Ｓ４０９、４１０）。
【００３１】
図５は、位置情報処理のフロー図である。
端末１０の位置情報取得部１２でＧＰＳなどの機能を使用し、端末１０の位置情報を取得し、サーバ２０の位置情報処理部２２に端末１０の位置情報を送信する（Ｓ５０１、５０２）。ＧＰＳのほか、基地局やゲート通過情報から取得しても良い。
【００３２】
そして、サーバ２０の位置情報処理部２２で端末１０の位置情報を受信し、ユーザ情報ＤＢ２２に登録されている位置情報を取得する（Ｓ５０３、５０４）。
【００３３】
次に、サーバ２０の位置情報処理部２２で、端末１０の位置情報とユーザ情報ＤＢ２２に登録されている位置情報を比較し、ある一定距離以内であるか判定する（Ｓ５０５）。
【００３４】
一定距離以内である場合（Ｓ５０６／Ｙｅｓ）、サーバ２０の位置情報処理部２２から端末１０の通知情報受信部１３に対して、ある店舗に接近したことを通知する（Ｓ５０７、５０８）。あわせて、ＤＢにある店舗情報も添付して送付してもよい。
【００３５】
例えば、ユーザＩＤ：１１２４４４５６のユーザが、○○食堂の１Ｋｍ以内にいることをＧＰＳから取得した位置情報をユーザ情報ＤＢに登録してある位置情報と比較し、判定を行う。
【００３６】
図６は、広告効果測定のフロー図である。
端末１０の位置情報取得部１２でＧＰＳなどの機能を使用し、端末１０の位置情報を取得し、サーバ２０の位置情報処理部２２に端末１０の位置情報を送信する（Ｓ６０１、６０２）。
【００３７】
そして、サーバ２０の位置情報処理部２２で端末１０の位置情報を受信し、ユーザ情報ＤＢ２２に登録されている位置情報を取得する（Ｓ６０３、６０４）。
【００３８】
次に、サーバ２０の位置情報処理部２２で、端末１０の位置情報とユーザ情報ＤＢ２２に登録されている位置情報を比較し、ある一定距離以内であるか判定する（Ｓ６０５）。
【００３９】
一定距離以内である場合（Ｓ６０６／Ｙｅｓ）、サーバ２０の位置情報処理部２２で端末１０の通知情報受信部１３とのやりとりにより、ある店舗に到達し、実際に訪れたか否かを判定する（Ｓ６０７）。すなわち、継続的に端末１０の位置情報取得部１２でＧＰＳなどの機能を使用し、端末１０の位置情報を取得し、サーバ２０の位置情報処理部２２に端末１０の位置情報を送信する。
【００４０】
そして、サーバ２０の位置情報処理部２２で店舗情報ＤＢ２４の店舗情報にユーザが店舗に到達したことを記録する（Ｓ６０８）。なお、ユーザが店舗を登録する際に、どのような媒体（例えば、ＴＶ、雑誌、広告、インターネット）によってその店舗の情報を入手したかの情報も併せて活用することで広告効果を測定することもできる。
【００４１】
なお、上述する各実施の形態は、本発明の好適な実施の形態であり、本発明の要旨を逸脱しない範囲内において種々変更実施が可能である。例えば、端末１０、サーバ２０の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【符号の説明】
【００４２】
１０    端末
１１    情報登録部
１２    位置情報取得部
１３    通知情報受信部
２０    サーバ
２１    情報処理部
２２    位置情報処理部
２３    ユーザ情報ＤＢ
２４    店舗情報ＤＢ
【図１】
2010218261.tif 000003
【図２】
2010218261.tif 000004
【図３】
2010218261.tif 000005
【図４】
2010218261.tif 000006
【図５】
2010218261.tif 000007
【図６】
2010218261.tif 000008